(57)【要約】【課題】男性が放尿する場合であっても、尿の飛沫が周囲に飛び散ることや、目標を大きく外れて周囲を水浸しにしてしまうことを有効に回避できる遮蔽具を提供する。【解決手段】上端開口部４６及び下端開口部４７を有する筒状の第１の尿受け部材３２を備え、尿受け部材の下端開口部４７は、洋式便器１０の開口部１４内に収納可能な寸法を備え、尿受け部材３２の外面３２ｂには、洋式便器１０の開口部周縁の平坦面１６と係合するための突出部４４が設けられており、尿受け部材３２の下端辺と突出部４４の下端との間には、所定の間隙が設けられている。【選択図】　　　　図１
2004076442.tif 000002
【特許請求の範囲】
【請求項１】
上端開口部及び下端開口部を有する筒状の尿受け部材を備え、
該尿受け部材の下端開口部は、洋式便器の開口部内に収納可能な寸法を備え、該尿受け部材の外面には、洋式便器の開口部周縁の平坦面と係合するための突出部が設けられており、
該尿受け部材の下端辺と上記突出部の下端との間には、所定の間隙が設けられていることを特徴とする洋式便器の飛沫遮蔽具。
【請求項２】
上記尿受け部材が、可撓性を備えた板状部材よりなり、
該板状部材を筒状に折り曲げた状態で両端辺を固定することにより、筒状の尿受け部材が構成されることを特徴とする請求項１に記載の洋式便器の飛沫遮蔽具。
【請求項３】
上記尿受け部材が、可撓性を備えた蛇腹状部材よりなり、
該蛇腹状部材を筒状に折り曲げた状態で両端辺を固定することにより、筒状の尿受け部材が構成されることを特徴とする請求項１に記載の洋式便器の飛沫遮蔽具。
【請求項４】
一端がトイレの壁面や貯水槽、配管類、あるいは洋式便器に固定された多関節型の伸縮自在アームと、
上端開口部及び下端開口部を有する筒状の尿受け部材とを備え、
該尿受け部材の下端開口部は、洋式便器の開口部内に収納可能な寸法を備え、
上記伸縮自在アームの他端と上記尿受け部材とが接続されており、
該伸縮自在アームの伸縮動作に応じて、洋式便器の開口部に対する尿受け部材の装着と取り外しとが実現されることを特徴とする洋式便器の飛沫遮蔽具。
【請求項５】
上記尿受け部材の外面には、洋式便器の開口部周縁の平坦面と係合するための突出部が設けられており、
該尿受け部材の下端辺と上記突出部の下端との間には、所定の間隙が設けられていることを特徴とする請求項４に記載の洋式便器の飛沫遮蔽具。
【請求項６】
上記尿受け部材の内面に、交換シートを着脱自在に装着したことを特徴とする請求項１〜５の何れかに記載の洋式便器の飛沫遮蔽具。
【発明の詳細な説明】
【０００１】
【発明の属する技術分野】
この発明は、洋式便器の飛沫遮蔽具に係り、特に、洋式便器において男性が小便をする際に、便器裏側の貯水槽や周囲の壁面等に小水が飛散してこれらを汚すことを防止する道具に関する。
【０００２】
【従来の技術】
図１１に示すように、洋式便器１０は、椀状に形成された便器本体１２と、小便や大便を取り込むための開口部１４と、この開口部１４の周辺に形成された楕円状の平坦面１６と、ヒンジ１８を介して平坦面１６の後端部に開閉自在に取り付けられた便座２０とを備えている。
また、図示は省略したが、便座２０の背後には一般に蓋部材が開閉自在に取り付けられている。
【０００３】
このような洋式便器１０に放尿する場合、小水は開口部１４から便器本体１２の内部傾斜面２２に当たり、底部の排水口に溜められる。
便器本体１２の傾斜面２２はすべてこの排出口に集束されているため、小水は傾斜面２２のどこに当たっても最終的には排水口に集められることとなる。
このようにして排出口に溜められた小水は、排水レバーを引いて貯水槽内の水を一気に流すことにより、排水口から下水道に排出される。
【０００４】
【発明が解決しようとする課題】
しかしながら、洋式便器１０において男性が用を足す場合には、起立した状態で開口部上方の高い位置から放尿するため、勢いの付いた小水が傾斜面２２で撥ね返り、便器１０の背後に配置された貯水槽や平坦面１６、あるいは周囲の壁や床に飛散し、これらを汚すことが多い。
１回に飛び散る尿の量は僅かであっても、長年堆積すると黄ばみ汚れの原因となり、アンモニア臭の発生源ともなる。
また、放尿時に目標を誤り、便器本体１２の開口部１４から大きく外れてしまうことも多々あり、結果的に便器１０の周辺を尿で水浸しにしてしまう危険性もあった。
【０００５】
この発明は、洋式便器が抱えている上記の欠点を解決すべく案出されたものであり、男性が放尿する場合であっても、尿の飛沫が周囲に飛び散ることや、目標を大きく外れて周囲を水浸しにしてしまうことを有効に回避できる道具を提供することを目的とする。
【０００６】
【課題を解決するための手段】
上記の目的を達成するため、請求項１に記載した洋式便器の飛沫遮蔽具は、上端開口部及び下端開口部を有する筒状の尿受け部材を備え、該尿受け部材の下端開口部は、洋式便器の開口部内に収納可能な寸法を備え、該尿受け部材の外面には、洋式便器の開口部周縁の平坦面と係合するための突出部が設けられており、該尿受け部材の下端辺と上記突出部の下端との間には、所定の間隙が設けられていることを特徴としている。
【０００７】
この飛沫遮蔽具は、尿受け部材の下端開口部を洋式便器の開口部内に挿入し、外面の突出部を便器の平坦面に係合させることによって装着される。
この状態において男性が尿受け部材の上端開口部に向けて放尿すると、便器内の傾斜面で跳ね返った飛沫は尿受け部材の内面に遮られるため、外部に飛び散ることを防止できる。
また、突出部の下端と尿受け部材の下端辺との間には所定の間隙が設定されているため、装着時には尿受け部材の下端辺が便器の開口部内に入り込むこととなる。この結果、万一目標を誤って尿受け部材の内面を尿が直撃した場合であっても、尿は便器の排水口側に確実に導かれることとなり、外部に漏れ出ることがない。
上記尿受け部材を、軽くて可撓性を備えた厚紙や合成樹脂材によって構成しておけば、使用後には押し潰して平坦化させた上で、便器の横に配置された収納ボックス内にしまうことができて便利である。
【０００８】
請求項２に記載した洋式便器の飛沫遮蔽具は、請求項１の飛沫遮蔽具を前提とし、さらに上記尿受け部材が可撓性を備えた板状部材よりなり、該板状部材を筒状に折り曲げた状態で両端辺を固定することによって筒状の尿受け部材が構成されることを特徴としている。
また、請求項３に記載した洋式便器の飛沫遮蔽具は、請求項１の飛沫遮蔽具を前提とし、さらに上記尿受け部材が可撓性を備えた蛇腹状部材よりなり、該蛇腹状部材を筒状に折り曲げた状態で両端辺を固定することによって筒状の尿受け部材が構成されることを特徴としている。
このように、板状部材や蛇腹状部材を丸めて筒状の尿受け部材を構成するようにすれば、便器の開口部に合わせて下端開口部の口径を調整できる。
板状部材や蛇腹状部材の両端辺の固定手段としては、例えば面ファスナが該当する。あるいは、粘着テープやクリップ等で固定することもできる。
【０００９】
請求項４に記載した洋式便器の飛沫遮蔽具は、一端がトイレの壁面や貯水槽、配管類、あるいは洋式便器に固定された多関節型の伸縮自在アームと、上端開口部及び下端開口部を有する筒状の尿受け部材とを備え、該尿受け部材の下端開口部は洋式便器の開口部内に収納可能な寸法を備え、上記伸縮自在アームの他端と上記尿受け部材とが接続されており、該伸縮自在アームの伸縮動作に応じて、洋式便器の開口部に対する尿受け部材の装着と取り外しとが実現されることを特徴としている。
この場合、尿受け部材の便器に対する装着及び取り外しが伸縮自在アームの伸縮動作によって実現し、取り外した際には伸縮自在アームによって尿受け部材がトイレ内の邪魔にならない位置に保持されることとなり、利便性が高まる。
【００１０】
また、請求項５に記載した洋式便器の飛沫遮蔽具は、請求項４の飛沫遮蔽具を前提とし、さらに上記尿受け部材の外面には、洋式便器の開口部周縁の平坦面と係合するための突出部が設けられており、該尿受け部材の下端辺と上記突出部の下端との間には、所定の間隙が設けられていることを特徴としている。
この結果、尿受け部材を便器の開口部に安定して装着可能となる。
【００１１】
請求項６に記載した洋式便器の飛沫遮蔽具は、請求項１〜５の飛沫遮蔽具を前提とし、さらに上記尿受け部材の内面に、交換シートを着脱自在に装着したことを特徴としている。
飛沫遮蔽具を長い間使用すると、尿受け部材の内面に汚れが堆積してくるため、予め交換シートを装着しておき、時々取り替えることが望ましい。
交換シートの装着手段に限定はなく、例えば弱粘着性の接着剤や面ファスナ、ボタン等が利用できる。
【００１２】
【発明の実施の形態】
図１に示すように、この発明に係る第１の飛沫遮蔽具３０は、円筒状に形成された第１の尿受け部材３２を備えている。
図２に示すように、この尿受け部材３２を展開すると、中心付近が最も高く、その両端辺に向かって徐々に低くなる形状（山形）を備えている。
この尿受け部材３２の左端の内面側には、面ファスナの雄面３４が取り付けられており、また右端の外面側には、面ファスナの雌面３６が取り付けられている。
この尿受け部材３２を内側に湾曲させて両端の面ファスナ３４，３６を接合させることにより、図１に示したように、上端が斜めに開口した円筒体が形成される。
尿受け部材３２は、表面に防水コーティングが施された厚紙や合成樹脂材など、可撓性及び耐水性を備えた軽量素材よりなる板状部材によって構成される。
【００１３】
尿受け部材３２の内面３２ａには、金属製の係合突起３８が多数取り付けられており、各係合突起３８を交換シート４０の係合スリット４２に突き通して折り曲げることにより、尿受け部材３２の内面３２ａに交換シート４０が着脱自在に装着される。
この交換シート４０は、耐水性及び抗菌性を備えた紙材よりなり、尿受け部材３２とほぼ等しい形状及び面積を備えている。
【００１４】
図３に示すように、尿受け部材３２の外面３２ｂには、直方体形状を備えた複数の係合用突出部４４が、一定の間隔をおいて接着されている。
各突出部４４は、尿受け部材３２の下端辺３２ｃから一定の距離（例えば５ｃｍ）をおいた位置に配置されている。
この突出部４４は、ウレタンや発泡スチロール、厚紙、合成樹脂等によって形成されている。
【００１５】
この第１の飛沫遮蔽具３０を洋式便器１０に装着する場合、まず尿受け部材３２の両端に取り付けられた面ファスナ３４，３６を接合させて円筒体を形成し、外面３２ｂに取り付けられた突出部４４を便器１０の平坦面１６に載置する。
この結果、図４に示すように、尿受け部材３２の下端辺３２ｃが便器１０の開口部１４から内部に挿入された状態で、便器１０の平坦面１６に当接した突起４４によって安定的に支持される。
この第１の飛沫遮蔽具３０の装着に際しては、尿を取り込みやすくするため、尿受け部材３２の最も高い部分が便器１０の背面側に配置されるように位置決めされる。
【００１６】
この状態で男性が第１の飛沫遮蔽具３０の上端開口部４６に向けて放尿すると、便器本体１２の内部傾斜面２２で跳ね返った飛沫は尿受け部材３２の内面（正確には交換シート４０）によって悉く遮られるため、周辺に飛び散ることがない。
また、尿受け部材３２の下端辺３２ｃが便器１０の内部に入り込んでいるため、尿受け部材３２の内面を尿が直撃した場合でも、尿は内面３２ａを伝って下端開口部４７から排水口側に導かれるため、平坦面１６との境目から外部に漏れ出す危険はない。
【００１７】
放尿が終了した場合には、飛沫遮蔽具３０を便器１０の開口部１４から取り外して横方向に潰し、図５に示すように、便器１０の横に設けられた収納ボックス４８内に入れておけば邪魔にならない。
何回か利用して交換シート４０の表面に汚れが蓄積された場合には、上記突起３８から取り外して未使用の交換シート４０と取り替えればよい。
上記面ファスナ３４，３６の横幅にある程度余裕を持たせておけば、その接合位置をずらすことで尿受け部材３２の下端開口部４７の径を調節することが可能となり、便器１０の開口部１４の大きさや形状に多少のバラツキがあっても対応できる。
【００１８】
上記にあっては、尿受け部材３２の内面３２ａに交換シート４０を装着させる例を説明したが、尿受け部材３２及び突出部４４を安価な紙材等によって形成しておき、それ自体を使い捨てにすることにより、汚れた交換シート４０を取り替える手間を省くことができる。
【００１９】
図６は第２の飛沫遮蔽具５０を示すものであり、図示の通り、蛇腹状の紙材あるいは合成樹脂材によって形成した第２の尿受け部材５２を備えている。
この第２の尿受け部材５２も、図７に示すように、展開した場合には中心付近が最も高く、その両端辺に向かって徐々に低くなる形状（山形）を備えている。
また、この尿受け部材５２の左端の内面側及び右端の外面側には、それぞれ面ファスナの雄面３４及び雌面３６が取り付けられており、尿受け部材５２を内側に湾曲させて両端の面ファスナ３４，３６を接合させることにより、蛇腹状の筒状体が形成される。
【００２０】
尿受け部材５２の外面５２ｂには、図８に示すように、上記と同様の突出部４４が一定の間隔をおいて複数取り付けられている。
また、各突出部４４は、尿受け部材５２の下端辺５２ｃから一定の距離（例えば５ｃｍ）をおいた位置に配置されている。
図示は省略したが、尿受け部材５２の内面５２ａに金属製の係合突起３８を多数設けておき、上記と同様の交換シート４０を取り替え自在に装着させることもできる。
【００２１】
この第２の飛沫遮蔽具５０を洋式便器１０に装着する場合も、まず尿受け部材５２の両端に取り付けられた面ファスナ３４，３６を接合させて筒状体を形成し、外面５２ｂに取り付けられた突出部４４を便器１０の平坦面１６に載置する。
この結果、図示は省略したが、尿受け部材５２の下端辺５２ｃが便器１０の開口部１４から内部に挿入された状態で、便器１０の平坦面１６に当接した突出部４４によって安定的に支持される（図４参照）。
【００２２】
この第２の飛沫遮蔽具５０の場合、尿受け部材５２が蛇腹状に形成されているため、各折り線５４における角度を調整することにより、その上端開口部５６及び下端開口部の大きさをより柔軟に変更できる利点がある。
また、尿受け部材５２の内面５２ａに尿が直接かけられた場合に、折り線５４に沿って尿を素早く便器１０の排水口側に導くことができる。
さらに、使用後には簡単に二つ折りあるいは四つ折りにし、収納ボックス４８等にコンパクトに収納することができる。
【００２３】
図９及び図１０は第３の飛沫遮蔽具６０を示すものであり、図示の通り、その主要部は第１の飛沫遮蔽具３０と同様の構成を備えている。
すなわち、合成樹脂材よりなる筒状の第３の尿受け部材６２と、その外面６２ｂの下方に取り付けられた複数の突出部４４とを備えている。
各突出部４４の下端面と尿受け部材６２の下端辺６２ｃとの間には、所定の間隙が設けられている。
【００２４】
さらに、尿受け部材６２の外面６２ｂとトイレの壁面６４との間には伸縮自在アーム６６が介装されており、この伸縮自在アーム６６によって尿受け部材６２は壁面６４に固定されている。
すなわち、この伸縮自在アーム６６の第１のロッド６８は、第１の軸７０及び軸受部７２を介して壁面６４に対し回動自在に固定されている。また、第２のロッド７４は、第２の軸７６及び軸受部７８を介して尿受け部材６２の外面６２ｂに回動自在に固定されている。さらに、第１のロッド６８及び第２のロッド７４は、第３の軸８０を介して回動自在に係合されている。
【００２５】
このため、尿受け部材６２の外面６２ｂに取り付けられた取っ手８２を便器１０側に引くことにより、伸縮自在アーム６６が伸びて壁面６４側に配置されていた尿受け部材６２が便器１０側に移動する。この際に、薄く折り畳まれていた尿受け部材６２が横方向に拡げられる。
そして、そのまま便器１０の開口部１４側に取っ手８２を引き下げることにより、尿受け部材６２は便器１０の開口部１４内に装着される（図１０）。
この場合も、突出部４４が便器１０の平坦面１６に当接されるため、尿受け部材６２を安定的に便器１０に装着することが可能となる。
【００２６】
図１０の状態において、男性は尿受け部材６２の上端開口部８４に向けて放尿をする。
放尿が終了した後は、取っ手８２を持って尿受け部材６２を便器１０の開口部１４から引き上げ、そのまま壁面６４の方向に押しやる。この際、自然に尿受け部材６２が折り畳まれ、壁面６４と便器１０との間の狭いスペースに収納可能となる。
なお、収納時に尿が床面８６に滴り落ちるのを防止するため、図示の通り壁面６４に受け皿８８を取り付けておくことが望ましい。
あるいは、尿受け部材６２の内面６２ａに係合突起３８を多数形成しておき、吸水性に優れた交換シート４０を着脱自在に装着させることによって滴りを防止することもできる。
【００２７】
尿受け部材６２は、伸縮自在アーム６６を介して上記のようにトイレの壁面６４に取り付ける以外に、貯水槽９０の側面や便器１０、あるいは図示しない配管類に取り付けることもできる。
この場合、尿受け部材６２を便器１０の開口部１４に装着するにはより複雑な移動が必要となるため、さらに自由度の高い多関節型の伸縮自在アームを用いる必要がある。
【００２８】
【発明の効果】
この発明に係る飛沫遮蔽具を洋式便器の開口部内に装着しておけば、男性が起立状態で放尿した場合であっても、便器内の傾斜面で跳ね返った飛沫は尿受け部材の内面に遮られるため、外部に飛び散ることを有効に防止できる。
また、装着時には尿受け部材の下端辺が便器の開口部内に入り込むこととなるため、万一目標を誤って尿受け部材の内面を尿が直撃した場合であっても、尿は便器の排水口側に確実に導かれることとなり、外部に漏れ出ることがない。
【図面の簡単な説明】
【図１】この発明に係る第１の飛沫遮蔽具を示す斜視図である。
【図２】第１の飛沫遮蔽具に係る第１の尿受け部材の展開図である。
【図３】第１の尿受け部材の外面を示す部分斜視図である。
【図４】第１の飛沫遮蔽具と便器との装着状態を示す部分断面図である。
【図５】第１の飛沫遮蔽具の収納状態を示す正面図である。
【図６】この発明に係る第２の飛沫遮蔽具を示す斜視図である。
【図７】第２の飛沫遮蔽具に係る第２の尿受け部材の展開図である。
【図８】第２の尿受け部材の外面を示す部分斜視図である。
【図９】この発明に係る第３の飛沫遮蔽具を示す正面図である。
【図１０】この発明に係る第３の飛沫遮蔽具を示す正面図である。
【図１１】洋式便器の一般的な構成を示す斜視図である。
【符号の説明】
１０　洋式便器
１２　便器本体
１４　開口部
１６　平坦面
１８　ヒンジ
２０　便座
２２　内部傾斜面
３０　第１の飛沫遮蔽具
３２　第１の尿受け部材
３４　面ファスナの雄面
３６　面ファスナの雌面
３８　係合突起
４０　交換シート
４２　係合スリット
４４　係合用突出部
４６　上端開口部
４７　下端開口部
４８　収納ボックス
５０　第２の飛沫遮蔽具
５２　第２の尿受け部材
５４　折り線
６０　第３の飛沫遮蔽具
６２　第３の尿受け部材
６４　トイレの壁面
６６　伸縮自在アーム
６８　第１のロッド
７０　第１の軸
７２　軸受部
７４　第２のロッド
７６　第２の軸
７８　軸受部
８０　第３の軸
８２　取っ手
８４　上端開口部
８６　床面
８８　受け皿
９０　貯水槽
【図１】
2004076442.tif 000003
【図２】
2004076442.tif 000004
【図３】
2004076442.tif 000005
【図４】
2004076442.tif 000006
【図５】
2004076442.tif 000007
【図６】
2004076442.tif 000008
【図７】
2004076442.tif 000009
【図８】
2004076442.tif 000010
【図９】
2004076442.tif 000011
【図１０】
2004076442.tif 000012
【図１１】
2004076442.tif 000013